(57)【要約】  本発明は、圧電測定素子によって出力された正および負の電荷信号Ｑを測定素子における現在の測定値に比例するデジタル信号Ｄに変換するための電荷増幅器回路に関する。回路は、検出された電荷Ｑを電圧Ｕ２に変換するための電荷入力および電圧出力を有する電荷増幅器Ｖ１を含み、２つの出力を有する補償回路Ｋが電荷増幅器Ｖ１の電圧出力の下流に接続されており、第１の出力は、電荷増幅器Ｖ１の電荷入力につながれ、第２の出力は、２つの入力Ｚ＋およびＺ−を有するカウンタＺに接続されている。一方で補償回路Ｋは、電圧Ｕ２に比例する補償電荷Ｑｋ＋またはＱｋ−を生成することができ、それは、第１の出力によって電荷増幅器Ｖ１の電荷入力へ送られて入力信号Ｑを補償することができ、また他方で補償回路は、生成された各々の補償電荷Ｑｋ＋またはＱｋ−の大きさに比例する複数のパルスＰ＋、Ｐ１を生成することができる。前記パルスは、第２の出力によって補償電荷Ｑｋ＋またはＱｋ−と逆符号のカウンタＺの入力Ｚ−、Ｚ＋へ送ることができ、それまでに入力された電荷量子の和に比例する所望のデジタル信号ＤがカウンタＺの出力に得られる。本発明は、さらにそのような回路上で実行される方法に関する。
2013512416.tif 000002
【特許請求の範囲】
【請求項１】
圧電測定素子によって出力された正および負の電荷信号Ｑを測定素子の現在の測定値に比例するデジタル信号Ｄに変換するための電荷増幅器回路であって、検出された電荷Ｑを電圧Ｕ２に変換するための電荷入力および電圧出力を有する電荷増幅器Ｖ１を含み、
２つの出力を含む補償回路Ｋが電荷増幅器Ｖ１の電圧出力の下流に接続されていることを特徴とし、
第１の出力は、電荷増幅器Ｖ１の電荷入力に接続され、第２の出力は、２つの入力Ｚ＋、Ｚ−を有するカウンタに接続され、
一方で補償回路Ｋは、電圧Ｕ２に比例し、入力信号Ｑを補償するために第１の出力によって電荷増幅器Ｖ１の電荷入力に送られる、補償電荷Ｑｋ＋またはＱｋ−をそれぞれ生成することができ、
他方で補償回路は、生成された各々の補償電荷Ｑｋ＋またはＱｋ−の大きさに比例する複数のパルスＰ＋、Ｐ−を生成して、前記パルスを第２の出力によって補償電荷Ｑｋ＋またはＱｋ−と逆符号のカウンタＺの入力Ｚ−、Ｚ＋に送ることができ、
それまでに入力された電荷量子の和に比例する所望のデジタル信号ＤがカウンタＺの出力に得られる回路。
【請求項２】
請求項１に記載の回路であって、補償回路Ｋが増幅器入力における電荷変動に比例する個数の増分パルスＰを生成するためのパルス発生器Ｇを含むことを特徴とする前記回路。
【請求項３】
請求項２に記載の回路であって、２つのＡＮＤゲート＆１、＆２がパルス発生器Ｇの下流に並列に接続され、
前記ゲートがさらに入力側で電荷増幅器Ｖ１の出力と並列に接続され、また
各々出力側ではカウンタの入力Ｚ−またはＺ＋にそれぞれ接続され、
ここで、Ｕ２の符号に依存してパルスがゲート＆１または＆２を通過してカウンタＺのＺ−またはＺ＋において検出されることを特徴とする前記回路。
【請求項４】
請求項３に記載の回路であって、電荷増幅器Ｖ１の出力とＡＮＤゲート＆１または＆２との間にそれぞれ並列に接続された２つの補償増幅器Ｖ２、Ｖ３によって特徴付けられる前記回路。
【請求項５】
先行する請求項のいずれか１項記載の回路であって、補償電荷Ｑｋ＋およびＱｋ−を生成するための２つの電流源Ｉｋ＋、Ｉｋ−によって特徴付けられる前記回路。
【請求項６】
請求項３あるいは４そして５に記載の回路であって、各々電流源Ｉｋ＋、Ｉｋ−の一方の出力の下流にある２つのスイッチＳ１、Ｓ２によって特徴付けられ、それらはまた、各々入力側でＡＮＤゲート＆１、＆２の出力の一方に接続されており、スイッチＳ１、Ｓ２がパルス継続時間の間に電流源Ｉｋ＋、Ｉｋ−からの電流を電荷増幅器Ｖ１の電荷入力へ送ることができる前記回路。
【請求項７】
請求項６に記載の回路であって、ダイオードＤ１、Ｄ２によって特徴付けられ、それらが下流でスイッチＳ１、Ｓ２の各々の１つと直列に接続されている前記回路。
【請求項８】
請求項４および５の１項に記載の回路であって、電流源Ｉｋ＋、Ｉｋ−の各々の１つの出力の下流にある２つのスイッチＳ１、Ｓ２によって特徴付けられ、
入力側で補償増幅器Ｖ２およびＶ３の出力の１つにそれぞれ接続され、
補償増幅器Ｖ２の出力電圧が正の場合に電流源Ｉｋ＋からの電流を通過させ、あるいは
補償増幅器Ｖ３の出力電圧が負の場合に電流源Ｉｋ−からの電流を通過させる前記回路。
【請求項９】
先行する請求項のいずれか１項記載の回路であって、トランジスタまたは機械的スイッチが少なくとも部分的にスイッチとして使用されることを特徴とする前記回路。
【請求項１０】
先行する請求項のいずれか１項記載の回路であって、カウンタがカウンタをゼロにリセットするためのリセット・スイッチおよび／または計数プロセスを始動させるための始動スイッチＳを含むことを特徴とする前記回路。
【請求項１１】
先行する請求項のいずれか１項記載の回路であって、カウンタパルスを、電気的にまたは誘導的にまたは容量的にまたは光学カプラまたはトランスミッタおよびレシーバ・アンテナによって、非変調であるいは変調して搬送波上でカウンタへ送信できる手段によって特徴付けられる前記回路。
【請求項１２】
先行する請求項のいずれか１項記載の回路であって、デジタル信号Ｄが電圧信号であることを特徴とする前記回路。
【請求項１３】
圧電測定素子によって出力された正および負の電荷信号を、測定素子における現在の測定値に比例するデジタル信号Ｄに変換するための方法であって、
電荷増幅器Ｖ１が入力電荷信号Ｑをアナログ電圧信号Ｕ２に変換する工程と、
電圧信号Ｕ２が電荷増幅器Ｖ１の下流で補償回路Ｋに送られる工程と、
一方で補償回路Ｋが電圧Ｕ２に比例する補償電荷Ｑｋ＋またはＱｋ−をそれぞれ生成して、入力信号Ｑを補償するために第１の出力によって電荷増幅器Ｖ１の電荷入力へ送る工程と、
他方で補償回路Ｋが生成された各々の補償電荷Ｑｋ＋またはＱｋ−の大きさに比例する複数のパルスＰ＋、Ｐ−を生成して、第２の出力によって補償電荷Ｑｋ＋またはＱｋ−と逆符号のカウンタＺの入力Ｚ−、Ｚ＋に送る工程と、
前記カウンタがパルスを加算して、対応する和を所望のデジタル信号Ｄとして配信する工程を有することを特徴とする方法。
【発明の詳細な説明】
【技術分野】
【０００１】
（技術的主題領域）
本発明は、圧電測定素子によって出力された正および負の電荷信号Ｑを測定素子における現在の測定値に比例するデジタル信号に変換するための電荷増幅器回路に関するものであり、検出された電荷Ｑを電圧Ｕ２に変換するための電荷入力および電圧出力を有する電荷増幅器Ｖ１を含む。発明は、さらに電荷信号をデジタル信号Ｄに変換するための方法に関する。
【背景技術】
【０００２】
（従来の技術）
電荷増幅器は、特に圧電センサに関連して必要とされる。それは、それらが測定値を電荷の形で出力するからである。そのようなセンサは、例えば力、圧力、加速度、膨張、モーメントおよび関連する物理現象を検出する。そのようなセンサが可動部品、例えば車の車輪に搭載されれば、測定信号は、非接触送信手段によって固定装置に送信できるようにデジタル化される。このために、決定された測定値は、一般に電荷増幅器で増幅され、さらにアナログ・デジタル変換器（Ａ／Ｄコンバータ）で変換されて、最終的に送信される。
【０００３】
電荷Ｑの変動から生ずる電流と同じ効果を持つ、増幅器入力における不可避な干渉電流のせいで、増幅器出力電圧は、それの元の値から変動する。すなわちドリフトする。この干渉効果を減らすために、しばしば電荷増幅器と並列に抵抗が接続される。それは、ドリフトによる出力電圧の増大を許容レベルに制限する。しかし抵抗もまた測定信号に対して同様に作用する。それによって電荷増幅器の下限周波数は、しばしばもはや許容できない値にまで増大する。もし測定手順が短時間の単一イベントのみを検出するのであれば、測定手順の直前にリセット・スイッチを駆動することによってこの干渉効果を相殺することができる。より長時間の測定手順の場合、抵抗の値の選択によっては、しばしば、結果の下限周波数と電荷増幅器の残留ドリフトとの間の妥協が不満足なものとなる。さらに移動する測定対象などで測定値を非接触で送信する場合には、固定された電子機器からリセット・スイッチを駆動するという別の工夫が必要となる。
【発明の概要】
【発明が解決しようとする課題】
【０００４】
（発明の説明）
本発明の目的は、圧電測定信号を変換するための電荷増幅器のための回路の仕様を特定することであり、それは、上述の問題点を低減できるし、さらにアナログ・デジタル変換器を使用せずに、非接触手段によって容易に送信可能な信号を供給できる。
【課題を解決するための手段】
【０００５】
発明のアイデアは、増幅器の出力信号がゼロに近い値に連続的に設定されて、リセット・スイッチが不要となるというものである。さらに出力信号がパルスの形で提供されるため、それを少ない干渉で容易に送信できる。パルス周波数は、電荷の変動レートに比例する。パルスは、カウンタで加算され、最後にカウンタがリセットされたときからの電荷の変動に比例する値を表す。それは、測定素子における現在の測定値に比例する。
【０００６】
（図面の簡単な説明）
以下で発明について図面を参照しながらより詳細に説明する。それらは、
【図面の簡単な説明】
【０００７】
【図１】本発明による回路の模式図。
【図２】従来技術による、電荷信号を処理する回路。
【図３】パルス化補償電流を備えた例示的実施の形態における、本発明による回路の模式図。
【図４】ダイオードを使用した好適な実施の形態。
【図５】トランジスタを使用した、本発明による回路の好適な実施の形態。
【図６】一定の補償電流を備えた、本発明による回路の好適な実施の形態。
【発明を実施するための形態】
【０００８】
（発明を実施する方法）
図１は、本発明による電荷増幅器回路の機能の簡略図を示す。検出すべき電荷Ｑは、圧電測定素子によって生成され、帰還キャパシタを備えた増幅器Ｖ１の入力に供給される。増幅器出力電圧Ｕ２が基準値Ｕｒｅｆ＋またはＵｒｅｆ−をそれぞれ越えるかあるいは下回ると、直ちに補償回路Ｋが決められた補償電荷Ｑｋ＋またはＱｋ−をネットワークＲ２／Ｃ２を介して増幅器入力に供給する。これは、それの出力電圧Ｕ２が再び限度Ｕｒｅｆ＋とＵｒｅｆ−との間に収まるまで続けられる。正の電荷単位Ｑｋ＋ごとにパルスＰ−が出力され、また負の電荷単位Ｑｋ−ごとにパルスＰ＋が出力される。
【０００９】
これらのパルスは、Ｖ１の入力における電荷変動に対する、あるいは入力電流に対する増分信号（ｉｎｃｒｅｍｅｎｔａｌ  ｓｉｇｎａｌ）である。
【００１０】
これらのパルスをアップ／ダウン・カウンタＺで加算することによって、それまでに入力された合計電荷の尺度が得られ、最終的には測定素子に存在する現在の測定値に比例する望みのデジタル信号Ｄが供給される。好ましくは、この信号Ｄは、電圧信号である。
【００１１】
この回路は、簡単な設備でパルス送信できるため、デジタル測定値の処理や移動する対象物での測定に特に有利である。
【００１２】
圧電測定技術の例に見られるような、従来技術に従って電荷信号を処理するための典型的な回路が図２に示されている。圧電測定素子は、この出願では通常電荷増幅器と呼んでいる積分増幅器Ｖ１の入力へ電荷源Ｑとして接続される。この電荷増幅器Ｖ１と並列にキャパシタＣ１およびリセット・スイッチＳＲが接続される。リセット・スイッチＳＲをクローズすることによって、キャパシタＣ１が放電する。このスイッチがオープンされたあと、その時点以降に供給された電荷ＱがキャパシタＣ１に到達し、値Ｑ／Ｃ１を有する電圧を増幅器出力に誘起する。もしデジタル信号Ｄが必要であれば、増幅器出力電圧がアナログ・デジタル変換器Ａ／Ｄに送られて、その出力に並列または直列の信号Ｄが得られる。
【００１３】
キャパシタＣ１と並列に接続される抵抗Ｒ１は、ドリフトによる出力電圧の増加を許容レベルに制限するためのものである。
【００１４】
図３は、本発明による回路の例示的実施の形態を簡略化した形で示す。増幅器Ｖ１の前にある部品は、各々の圧電測定デバイスに存在する部品を表している。Ｑは、電荷源であり、圧電測定素子によって生成される。ｄＱ／ｄｔは、Ｑの変動によって流入する電流を表す。電荷源、ケーブルおよび増幅器入力を含む入力回路の、Ｃｑは合計の容量、Ｒｑは合計のリーク抵抗を含むものとする。Ｕｏｆは、増幅器の電圧オフセットであり、Ｉｏｆは、オフセット電流である。Ｉ１は、源から増幅器の入力へ流れる合計電流であって、ｄＱ／ｄｔ、ＩｏｆおよびＵｏｆ／Ｒｑから生ずる成分を含む。Ｕ２＝０の出力状態において、入力電流Ｉ１は、最初、増幅器Ｖ１の入力へ非常に小さい入力電圧Ｕ１と、電流Ｉ１の時間積分の値をＣ１で除した値を有する出力電圧Ｕ２とを誘起する。もしＵ２が値Ｕｒｅｆ＋を超えると（入力における負電荷の増加に対して）、比較増幅器Ｖ２が応答して正の出力信号を供給する。パルス発生器Ｇから正確に定義された幅を有するパルスが２つのＡＮＤゲート＆１および＆２に到達する。Ｖ２の出力電圧が正であるかぎり、これらのパルスは、ＡＮＤゲート＆１の出力に到達する。それらは、スイッチＳ１を駆動し、それによって各パルス長の間電流源Ｉｋ＋をオープンにする。このため、各々のパルスによって、補償電流源Ｉｋ＋にパルス長を乗じた値に等しい明確に定義された補償電荷Ｑｋ＋がネットワークＲ２、Ｃ２、Ｃ３に到達する。この電荷Ｑｋは、増幅器入力に到達して、源によってＶ１に出力される電荷の少なくとも一部分を補償する。十分な数の補償電荷のあとで、入力電荷Ｑがほぼ完全に補償されると、Ｕ２がふたたび値Ｕｒｅｆ＋を下回り、それによってＧからの後続パルスは、もはやＡＮＤゲート＆１を通過しないようになる。ＡＮＤゲートによって出力されるパルスは、パルスＰとして出力にも到達する。これらのパルスの数は、入力に流れ込んだ電荷を補償電荷Ｑｋで除したものに等しく、従って入力信号の尺度になる。Ｑが正の符号を持つ（正電荷が増加する）場合には、Ｖ３、ＡＮＤゲート＆２、Ｓ２およびＩｋ−が同様に機能し始め、出力パルスＰ＋を誘起する。
【００１５】
これらのパルスは、増幅器入力における電荷変動に比例する増分信号である。パルスＰ＋の周波数は、正電荷の増加の尺度であり、同様にパルスＰ−の周波数は、電荷減少の尺度である。
【００１６】
しかし最も興味あるのは、通常、特別な瞬間からの電荷変動の積分である。この場合、パルスは、アップ／ダウン・カウンタで加算される。パルスＰ＋およびＰ−は、２チャンネル送信経路Ｕウムラウトを通過してカウンタＺの２つの入力に到達する。このカウンタは、リセット・スイッチＲによってゼロに初期セットされる。測定プロセスの冒頭で、カウンタは、スイッチＳによって始動させられる。もし特定の時点で測定値を固定したければ、その時点でカウンタを停止させることができ、増幅器Ｖ１でのドリフト効果の如何に関わらずその信号をカウンタに保存することができる。カウンタＺに収容された、電荷Ｑに比例する値は、既知のやり方でデジタル信号Ｄとして並列または直列に読み出され、そのあとでさらに処理することができる。
【００１７】
増幅器入力における干渉の源は、物理現象によるものであり、完全に解消することはできない。それは、確かに小さくはできてもＩｏｆおよびＵｏｆを完全にゼロにできないし、従って絶縁抵抗Ｒｑが常に有限値を有するためである。従ってこの進歩した回路にあっても、電荷Ｑの真の静的な測定は、実際上行うことができず、抵抗Ｒ２は、干渉電流を消散させるために有限値を有しなければならない。しかし、干渉なしに容易に送信される増分信号が存在するし、電荷増幅器上のリセット回路も必要ない。それどころかカウンタは、任意の時点で容易かつ迅速にゼロにセットできる。
【００１８】
急激に変動する信号の（短時間のうちに電荷が大きく変動する）場合、カウンタは、予めゼロにセットされて、予期される信号のステップ変動の直前に始動されるのが有利である。
【００１９】
周期的な信号の場合も、カウンタは、イベント駆動のやり方で、例えば各周期プロセスの冒頭で周期的にゼロにセットすることができる。
【００２０】
図６は、図３に示された回路と本質的に同じ機能を有するが、幾分異なるふうに構築された回路を示している。
【００２１】
それが異なる点は、増幅器Ｖ２の出力電圧が正のとき、スイッチＳ１がオープンし、ネットワークＲ２／Ｃ２を介して増幅器入力へ補償電流Ｉｋ＋を供給し、Ｕ２がふたたび値Ｕｒｅｆよりも低くなるまでそれを続けるという事実である。Ｖ２の出力電圧は、また同時にＡＮＤゲート＆４にも供給され、それは、補償電流Ｉｋが流れる間、パルス発生器Ｇのパルスを、出力への出力パルスＰ−として出力する。従ってそれらのパルスの数は、また補償電荷に比例し、最終的にはデジタル信号Ｄの配信につながる。
【００２２】
入力における電荷の正の変動に対して本質的に同じことがＶ３、Ｓ２および＆３にあてはまる。スイッチＳ１およびＳ２は、補償電流の切り換えだけを行う。
【００２３】
これらの説明から、従来の回路タイプに対して発明の以下の特徴が特に明らかである。
【００２４】
−測定信号は、直に増分的であり、カウンタを使用する場合には、中間のアナログ・デジタル変換器なしでデジタル的である。
【００２５】
−低レベルの干渉で、信号の非接触送信が容易に可能である。
【００２６】
−測定装置のゼロ設定が外部カウンタ上で実行可能であり、電荷増幅器自体にはスイッチング操作が必要ない。
【００２７】
−カウンタを停止すると、測定信号は、任意の時間長だけ保存される。
【００２８】
−増幅器出力、ひいては増幅器入力における電圧が通常かなり小さいという事実によって、ほんの有限の大きさしかない、入力における絶縁抵抗の効果が低減される。
【００２９】
（コンポネントの機能およびサイズ決定指針（図３および図６を参照））
図３の回路のパルス発生器Ｇの周波数は、入力に期待される最大のステップ電荷がデジタル信号の許容できる遅延に相当する時間内に補償されるように十分高く設定されるべきである。可能な最大周波数は、選ばれたパルス幅によって決まる。図６の回路では、パルス発生器Ｇの周波数は、測定信号の十分な分解能を得るためと、ドリフト効果およびその他のタイプの干渉によって引き起こされる短時間の補償電流を十分よく分解して、Ｐ＋およびＰ−パルスを加算するカウンタのゼロ点ドリフトがそれ以上発生しないようにするために十分高くなければならない。
【００３０】
基準電圧Ｕｒｅｆは、安定性の理由から少なくとも値Ｑｋ／Ｃ１を有しなければならない。ここで、Ｑｋは、図３の回路または図６の回路の補償電荷単位であって、それぞれ補償プロセスにおいて入力に配信される本質的に最小の電荷を表している。
【００３１】
特に興味深いのは、Ｒ２が小さい値、極端にはＲ２＝０オームに選ばれる特別な場合である。その場合、補償電荷Ｑｋは、増幅器入力へ直接到達する。キャパシタＣ２およびＣ３は、もはや何の効果も持たず、省くことができる。電圧Ｕ３は、ほぼ値Ｕ１を取り、従って無視しうるほど小さい。
【００３２】
図４は、図３の回路図の一部を示しており、４つのコンポネントが追加されている。スイッチＳ１およびＳ２は、半導体スイッチとして構成されるのが好ましい。これらのスイッチのリーク電流が許容できないほど大きい場合には、スイッチと直列に高インピーダンスのダイオードＤ１およびＤ２を挿入することによってそれらを減らすことができる。抵抗Ｒ３およびＲ４を用いてダイオードを順方向にバイアスするのが有利である。特にもしＲ２が高インピーダンスを有するのであれば、Ｕ３は、ゼロボルトから相当に外れた値を獲得することができる。その場合、これらの抵抗は、ダイオードよりも幾分小さい値を有するべきであるが、その場合でもそこを流れるＩｋの成分が無視しうるほど小さくなるように十分高くなければならない。図示された例で、この回路は、Ｕ３が｜１１Ｖ｜の値を超えないかぎり動作する。
【００３３】
（例示的実施の形態）
図５は、多くの可能な例示的実施の形態の１つを示す。図３の模式回路の実施を表すこの例で、（図３の）スイッチＳ１およびＳ２は、電流源に集積化されている。ＡＮＤゲート＆１と＆２の両方とも、一方でパルスＰ＋およびＰ−を出力し、他方でトランジスタＴ１からＴ４を介して電流源を制御する。各々のケースで電流源は１つの増幅器と１つのトランジスタによって既知のやり方で構成される。
【００３４】
ここには６個のトランジスタが、接合ＦＥＴまたはＭＯＳＦＥＴのいずれかに関わらず、区別なくＦＥＴトランジスタとして示されている。
【００３５】
これら２つのＡＮＤゲート＆１および＆２がゼロの出力信号を有するとき、トランジスタＴ１からＴ４は導通し、Ｔ５およびＴ６は、ブロックされて、補償電荷の生成はない。
【００３６】
補償電荷Ｑｋ＋の生成は、次のように説明される。＆１の両入力に正の信号が存在すれば、＆１の出力電圧は、ゼロと異なる。＆１は、それの出力電圧がそのとき負になるように設計されなければならない。自己導通トランジスタＴ１は、それによってブロックされ、結果的に自己ブロック・トランジスタＴ３と同じようになる。増幅器Ｖ４の＋入力には、この時点で電圧分割器Ｒ９およびＲ１１によって形成された電圧が存在する。従って、抵抗Ｒ１３には、抵抗Ｒ９と同じ電圧が存在し、従ってこの抵抗を通る電流が所望の補償電流となる。これは、トランジスタＴ５を流れる。従って＆１のオープンしている時間が終了すると、補償電荷Ｑｋ＋がネットワークＲ２、Ｃ２、Ｃ３に流れ込んでいることになる。
【００３７】
もし＆２の両方の入力が正であれば、＆２の出力電圧は、ゼロと異なる。＆２は、それの出力電圧がそのときに正となるように設計されなければならない。従ってＴ２、Ｔ４、Ｖ５およびＴ６において同じように補償電荷Ｑｋ−の生成が起こるが、ただ符号が逆である。
【００３８】
従来の増幅器の切換可能な測定範囲は、使用されているキャパシタＣ１の容量に逆比例する。しかし本発明によるこの電荷増幅器では、広い測定範囲の変換がいまや可能であり、必要なのは１つのキャパシタＣ１だけである。異なる測定範囲を選択できるように異なる容量を有する異なるキャパシタＣ１．１、Ｃ１．２…Ｃ１．３間でスイッチングすることは、ここでは冗長である。それは、どの場合でも増分電荷のみが検出されるためである。従ってこのキャパシタＣ１には、特にそれの絶縁性に関して特別な制約がない。Ｃ１両端の電荷損失は、無視しうる。それは、Ｃ１両端の電圧が短時間だけ留まり、増幅が存在しえないためである。従って、小さい容量のキャパシタＣ１を選ぶことができる。大きい容量のキャパシタは、大型になるので、空間も節約されることになる。
【００３９】
またＲ１は、完全に省くことができる。
【００４０】
同じ目的で、例のなかで使用されているものと異なる他のコンポネントを使用することも発明人の観点から代替的な解決策となると考えられる。
【符号の説明】
【００４１】
（参照記号のリスト）
Ｑ  電荷源（例えば、圧電測定センサ）、またはそれによって出力される電荷Ｑ。
【００４２】
ｄＱ／ｄｔ  増幅器Ｖ１へ電荷源によって出力される電流。
【００４３】
Ｃｑ  電荷源、ケーブルおよび増幅器入力の電気容量。
【００４４】
Ｒｑ  電荷源、ケーブルおよび増幅器入力の絶縁抵抗。
【００４５】
Ｒｚ  増幅器出力によってＣ１に供給できる電流が十分でないか、さもなければＣ１を望ましくないほど大きくしなければならない場合には、電荷の急激な上昇時に増幅器Ｖ１のオーバードライブを防止するために、場合によっては決まった抵抗値を直列接続することにより人為的に増やされることが可能な供給ケーブルの抵抗。
【００４６】
Ｉｏｆ  増幅器Ｖ１のオフセット電流。
【００４７】
Ｕｏｆ  増幅器Ｖ１のオフセット電圧。
【００４８】
Ｉ１  合計の入力電流。ｄＱ／ｄｔ＋Ｉｏｆ＋Ｕｏｆ／Ｒｑ。
【００４９】
Ｕ１  増幅器Ｖ１の入力電圧。
【００５０】
Ｖ１  高インピーダンス増幅器。
【００５１】
Ｃ１  増幅器Ｖ１の帰還容量。これは、一般に従来の電荷増幅器よりも本質的に小さいものに選ぶことができる。それは、増幅器Ｖ１がオーバードライブされることなしに、補償回路によって補償しきれない入力電荷を吸収できるだけの大きさであればよい。
【００５２】
Ｕ２  増幅器出力の電圧。補償回路によってこれは＜｜Ｕｒｅｆ｜の値に繰り返し設定される。
【００５３】
Ｕｒｅｆ＋／Ｕｒｅｆ−  補償回路の活動をトリガする基準電圧。
【００５４】
Ｖ２，Ｖ３  増幅器。Ｕ２と基準電圧Ｕｒｅｆとの間の比較のための比較器として機能する。
【００５５】
Ｇ  パルス発生器。決まった幅と周波数のパルスを供給する。
【００５６】
＆１，＆２  ＡＮＤゲート。両入力が正の信号を有するときに正の出力信号を出力する。それらの出力は、スイッチＳ１およびＳ２を駆動する。
【００５７】
＆３，＆４  ＡＮＤゲート。Ｖ２またはＶ３の出力信号が正の場合に、パルス発生器Ｇからのパルスを出力へ切り替える。
【００５８】
Ｓ１，Ｓ２  スイッチ。補償電流Ｉｋ＋およびＩｋ−を切り替える。図３の場合には、それらは、またパルス発生器Ｇからのパルスを出力へ切り替える。
【００５９】
Ｉｋ＋，Ｉｋ−  明確に定義された電流源。パルス発生器Ｇのパルス長の間、ネットワークＲ２、Ｃ２、Ｃ３に対して正確な電荷Ｑｋ＋またはＱｋ−を各々供給する。
【００６０】
Ｒ２，Ｃ２  増幅器入力へ補償電荷を送信するために使用される。Ｒ２は、最大の入力エラー電流（Ｉｏｆ＋Ｕｏｆ／Ｒｑ）がＵ３  ｍａｘ／Ｒ２よりも小さくなるように十分小さい値に選ばれなければならない。それは、エラー電流が流れ出すことができるのは、Ｒ２を通してのみだからである。
【００６１】
Ｃ３  補償電荷のステップ変動を濾過するのに役立ち、それによってＵ３を安定化する。出力信号に大きな影響を与えないようにするために、Ｃ３は、Ｃ２よりも小さく選ぶのが有利である。
【００６２】
Ｕ３  Ｃ３両端の電圧。許可された制御範囲全体にわたって可変である。
【００６３】
Ｕウムラウト  出力パルスＰ＋およびＰ−のための、電気的、光学的、誘導的、容量的または高周波手段によるトランスミッタおよびレシーバ・アンテナを介した２チャンネル送信経路。
【００６４】
Ｚ  Ｐ＋およびＰ−パルスを加算するためのカウンタ。カウンタは、正および負の値を出力するように設計するのが有利である。
【００６５】
Ｄ  並列または直列のデジタル・カウンタ出力。
【００６６】
Ｒ  カウンタをゼロにセットするためのリセット・スイッチ。
【００６７】
Ｓ  計数プロセスを始動させるための始動スイッチ。
【００６８】
Ｑｋ  測定装置の分解能を決める。例えば１０００ステップ（１％）の分解能が必要であれば、そして測定範囲を完全に利用するのであれば、Ｑｋは、最大入力電荷のせいぜい１／１０００であるべきである。パルス発生器Ｇのパルス幅およびＩｋの値は、それに従って選択される。
【図１】
2013512416.tif 000003
【図２】
2013512416.tif 000004
【図３】
2013512416.tif 000005
【図４】
2013512416.tif 000006
【図５】
2013512416.tif 000007
【図６】
2013512416.tif 000008
【国際調査報告】
2013512416.tif 000009
2013512416.tif 000010
2013512416.tif 000011
2013512416.tif 000012